(57)【特許請求の範囲】
【請求項１】
箱体の対向する一対の側面を構成する側面板１，１と箱体の対向する一対の端面を構成する端面板２，２とが交互に連接され、かつ、最も端の側面板１の側辺と端面板２の側辺とが互いに接合され、
側面板１，１の下方に折り線ｍを介して側方底板３，３が連接されており、かつ、この側方底板３，３が前記折り線ｍから折り曲げられ、他方、端面板２，２の下方に折り曲げ線ｎを介して端方底板４，４が連接されており、かつ、この端方底板４，４が前記折り線ｎから折り曲げられて前記側方底板３，３の外面側に重ねられて、これら側方底板３，３と端方底板４，４とで箱体底部を構成しており、
前記側方底板３，３は、前記折り線ｍから略Ｓ字形状の切り込み３１を有し、この略Ｓ字形状切り込み３１から、端方底板４，４の角部４２を側方底板３，３の内面側に差し込んで固定しており、
端方底板４，４はその先端部に直線状の切り込み４１を有しており、
側方底板３，３が、前記略Ｓ字形状切り込み３１の他に、この略Ｓ字形状切り込み３１の端部から伸びる直線状の切り込みであって、前記切り込み４１と同一方向に伸びる切込み３２を有しており、
これら切り込み４１と切込み３２とが互いに噛み合わされていることを特徴とする箱体。
【発明の詳細な説明】
【技術分野】
【０００１】
本発明は、１枚のブランクシートを折り曲げかつ接着して構成された箱体に関する。このブランクシートとしては、好適には、ダンボールシートなどの剛性の高い厚紙が適用できる。また、この箱体は、例えば、キャベツなどの野菜類や青果類を収容して輸送する際に利用することができる。
【背景技術】
【０００２】
従来、野菜類や青果類を産地から店頭まで輸送する箱体として、安価で軽量なことから、例えば、ダンボールシート製のブランクシートを折り曲げ、接着して構成した紙製箱体が使用されてきた。この紙製箱体は、その周壁を、２枚の側面板と２枚の端面板で構成し、これら側面板と端面板のそれぞれに連接された底板を折り曲げ線から折り曲げて底部としている。そして、前記底板にステープルを打ち込んで底板同士をつなぎ合わせることにより、底部を固定していた。
【０００３】
収容した野菜類や青果類を取り出してこの箱体が不要になった場合には、前記ステープルを取り除いて底部を開いて折り畳み、廃棄したり、あるいは再使用したりしていた。しかしながら、ダンボールシートに打ち込んだステープルを取り除く作業は煩雑であるばかりでなく、ダンボールシートそのものを破壊し易いことから、かかるステープルを使用することなく底部を固定し、収容物を収容して輸送することのできる紙製箱体が望まれていた。
【０００４】
このような箱体としては、例えば、特許文献１又は２に記載されたものが知られている。これらの箱体は、前記底板の一部に切り込みまたはスリットを設け、この底板に隣接する底板の角部を切り込みまたはスリットに差し込んでロックすることにより、底部を固定したものである。
【特許文献１】特開２００３−３１２６３９号公報
【特許文献２】特許３６４８２０８号公報
【発明の開示】
【発明が解決しようとする課題】
【０００５】
しかしながら、特許文献１及び２に記載の箱体は、いずれも、底板の角部を切り込みまたはスリットに差し込んでロックしたに過ぎないため、底部強度が不十分で、重量の重い収容物を収容すると底部中央が下方に膨れ、輸送が困難になることがあった。
【０００６】
そこで、本発明は、十分な底部強度を持ち、重量の重い収容物を収容して輸送・保管することのできる箱体を提供することを目的とするものである。
【課題を解決するための手段】
【０００７】
すなわち、請求項１に記載の発明は、箱体の対向する一対の側面を構成する側面板１，１と箱体の対向する一対の端面を構成する端面板２，２とが交互に連接され、かつ、最も端の側面板１の側辺と端面板２の側辺とが互いに接合され、
側面板１，１の下方に折り線ｍを介して側方底板３，３が連接されており、かつ、この側方底板３，３が前記折り線ｍから折り曲げられ、他方、端面板２，２の下方に折り曲げ線ｎを介して端方底板４，４が連接されており、かつ、この端方底板４，４が前記折り線ｎから折り曲げられて前記側方底板３，３の外面側に重ねられて、これら側方底板３，３
と端方底板４，４とで箱体底部を構成しており、
前記側方底板３，３は、前記折り線ｍから略Ｓ字形状の切り込み３１を有し、この略Ｓ字形状切り込み３１から、端方底板４，４の角部４２を側方底板３，３の内面側に差し込んで固定していることを特徴とする箱体である。
【０００８】
請求項１に記載の発明によれば、側方底板３，３に設けられた略Ｓ字形状切り込み３１から、端方底板４，４の角部４２を側方底板３，３の内面側に差し込んで固定しており、この略Ｓ字形状の中央から外向きの膨出部に位置する側方底板３，３が、収容物の重量に対抗して外面側から端方底板４，４を押圧するから、底部中央が下方に膨れることもなく、高い強度の底部を有する箱体を得ることができる。
【０００９】
また、請求項２に記載の発明は、請求項１に記載の箱体において、
端方底板４，４はその先端部に直線状の切り込み４１を有しており、
側方底板３，３が、前記略Ｓ字形状切り込み３１の他に、この略Ｓ字形状切り込み３１の端部から伸びる直線状の切り込みであって、前記切り込み４１と同一方向に伸びる切込み３２を有しており、
これら切り込み４１と切込み３２とが互いに噛み合わされていることを特徴とする箱体である。
【００１０】
請求項２に記載の発明では、端方底板４，４の切り込み４１と側方底板３，３の切込み３２とが噛み合わされており、この噛み合わせの分だけ多く端方底板４，４が側方底板３，３の内面側に差し込まれているから、より一層強度の高い底部を構成することができる。
【発明の効果】
【００１１】
以上のように、請求項１，２に記載の発明によれば、より強度の高い底部を構成して、重量の重い収容物を収容して輸送・保管することが可能となる。
【発明を実施するための最良の形態】
【００１２】
以下、図面を参照して、本発明の実施形態を説明する。
【００１３】
なお、本発明にかかる箱体は１枚のブランクシートを折り畳み、接着して構成されるものであるから、説明の便のため、そのブランクシートから説明する。すなわち、図１はブランクシートの説明図である。
【００１４】
本発明に係るブランクシートは、順に連接された側面板１、端面板２、側面板１、端面板２を有するものである。側面板１と端面板２の間には、それぞれ、折り曲げ線ｌが介在している。そして、この折り曲げ線ｌから折り曲げることにより、側面板１同士が対向して一対の側面を構成し、また、端面板２同士が対向して一対の端面を構成する。なお、最も端の側面板１の側辺には接着代１１が連接されており、この接着代１１を端面板２の側辺に接合することにより箱体胴部を構成する。
【００１５】
２枚の側面板１，１の下方には、折り曲げ線ｍを介して側方底板３，３が連接されている。この側方底板３，３の幅は端面板２の幅の１／２であり、折り曲げ線ｍから折り曲げた場合、側方底板３の端面同士が突き合わせられてしかもその間に隙間が生じないように構成されている。なお、その突合せ端面には、指掛け孔を構成する円弧状の切り欠け３３が設けられている。この指掛け孔は、箱体から収容物を取り出して、この箱体を折り畳む際に使用するものである。
【００１６】
また、２枚の端面板２，２の下方には、折り曲げ線ｎを介して端方底板４，４が連接さ
れている。この端方底板４，４は、折り曲げ線ｎから折り曲げた場合、側方底板３，３のの外面側に重ねられる。こうして重ねられた側方底板３，３と端方底板４，４とで箱体の底部が構成される。なお、端方底板４，４の端面に、指掛け用の円弧状の切り欠け４３が設けられている。
【００１７】
２枚の側方底板３，３は、それぞれ、その折り曲げ線ｍを始点とする略Ｓ字形状の切り込み３１が設けられている。この略Ｓ字形状切り込み３１，３１は、それぞれの側方底板３，３に２ヶ所設けられている。
【００１８】
そして、側方底板３，３には、略Ｓ字形状切り込み３１，３１の終点位置を始点とする直線状切り込み３２が設けられ、この直線状切り込み３２の終点位置と略Ｓ字形状切り込み３１，３１の始点位置を結ぶ直線状に弱め線３ａが設けられている。直線状切り込み３２は、後述するように、端方底板４，４の直線状切り込み４１と噛み合わせられるものである。
【００１９】
次に、端方底板４，４には、それぞれ、その端部に直線状切り込み４１が設けられている。この直線状切り込み４１は、前記直線状切り込み３２に対応して、それぞれの端方底板４，４に２ヶ所設けられている。
【００２０】
また、端方底板４，４には、折り曲げ線ｎに平行する折り曲げ線４ａが設けられている。この折り曲げ線４ａは、端方底板４，４の角部４２を側方底板３，３の内面側に差し込んで固定する際に使用するものである。
【００２１】
そして、側面板１と端面板２の上方には、それぞれ、蓋板５，６が連接されている。
【００２２】
次に、このブランクシートを使用して本発明に係る箱体を組み立てる工程について説明する。
【００２３】
すなわち、まず折り曲げ線ｌから折り曲げ、接着代１１を端面板２の側辺に接合することにより角筒状の箱体胴部を形成する。
【００２４】
次に、上下を反転させて底部を形成する。すなわち、まず折り曲げ線ｍから側方底板３，３を折り曲げ、その端面同士が突き合わせる。このとき、切り欠け３３同士が突き合わされて指掛け孔が形成される（図２参照）。次に、折り曲げ線ｎから端方底板４，４を折り曲げ、側面底板３，３の外面側に重ねる。
【００２５】
そして、折り曲げ線４ａから端方底板４，４を折り曲げると共に、弱め線３ａの弾性を利用して略Ｓ字形状切り込み３１，３１を開き、この切り込み３１，３１から端方底板４，４の角部を側方底板３，３の内面側に差し込む。なお、このとき、端方底板４，４の直線状切り込み４１と側方底板３，３の直線状切り込み３２とを、これらが交差するように噛み合わせることにより、端方底板４，４の角部を奥まで差し込むことができる（図２参照）。
【００２６】
最後に、収容物を収容して、蓋板６、蓋板５をこの順に折り曲げ封止して使用することができる（図３参照）。封止は、例えば、粘着テープなどで可能である。
【００２７】
こうして得られた箱体は、その底部が、切り込み３１，３１の略Ｓ字形状の膨出部、すなわち、箱体底部の中央から外向きに膨らんだ部位に位置する側方底板３，３が、収容物の重量に対抗して外面側から端方底板４，４を押圧し、しかも、端方底板４，４の切り込み４１と側方底板３，３の切込み３２とが噛み合わされており、この噛み合わせの分だけ
多く端方底板４，４が側方底板３，３の内面側に差し込まれているから、極めて強度が高く、重量物を収容して輸送することが可能となる。なお、収容物を取り出してこの箱体が不要になった場合には、切り込み４１と切込み３２を解除し、端方底板４，４の角部４２を外側に引き出すことにより、簡単に折り畳むことが可能である。
【図面の簡単な説明】
【００２８】
【図１】図１は本発明の実施形態に係るブランクシートの説明図。
【図２】図２は本発明の実施形態に係る箱体の組み立て工程を示し、上下を反転させた状態の斜視図。
【図３】図３は発明の実施形態に係る箱体の組み立て工程を示す斜視図。
【符号の説明】
【００２９】
１‥側面板
２‥端面板
３‥側方底板
３１‥略Ｓ字形状切り込み
３２‥切り込み
３ａ‥弱め線
４‥端方底板
４１‥切り込み
４２‥角部
【図１】
0004757566.tif 000002
【図２】
0004757566.tif 000003
【図３】
0004757566.tif 000004